(57)【要約】【課題】本発明は、２Ｄ動作平面Ｘ、Ｙ上で動作可能な可動部１０４を持つ、動く記録媒体のためのピックアップとその製造方法に関する。【解決手段】磁石（３０７、３０５）の間の小さなエアギャップと、平らなキャリヤ（１０５）の上のコイルを、コイルキャリヤ（１０５）の部分（４０２、４０３）を、動作平面（Ｘ、Ｙ）の外側に位置するアライメント方向（３０１）に沿って広がる位置範囲（３０１）内で保持するホルダオープニング（３００）を持つ可動部（１０４）によって、及び、該コイルキャリヤ（１０５）の該部分（４０２、４０３）を、範囲（３０１）内の一つの位置（３０２）でホルダオープニング（３００）内に固定することによって実現する。【選択図】図１
2007250169.tif 000002
【特許請求の範囲】
【請求項１】
平面的な磁気面（４００、４０１）を伴う一つ又はそれ以上の磁石構成（１０２、１０３）を持つベース（１０１）を持ち、該磁石構成（１０２、１０３）に面しているコイルを有する平面的なコイルキャリヤ（１０５）を持つ可動部（１０４）を持ち、該可動部（１０４）が、ディスタンス方向（Ｙ）とトラッキング方向（Ｘ）に架かる動作平面上で動作可能である、情報トラックを持つ動く記録媒体にアクセスするピックアップにおいて、
該可動部（１０４）が、該コイルキャリヤ（１０５）の部分（４０２、４０３）を、該動作平面の外側に位置するアライメント方向（３０１）に沿って広がる位置範囲（３０１）内に保つホルダオープニング（３００）を持ち、該コイルキャリヤ（１０５）の該部分（４０２、４０３）は、該範囲（３０１）内の一つの位置（３０２）で該ホルダオープニング（３００）内に固定されることを特徴とするピックアップに関する。
【請求項２】
アライメント方向（３０１）が実質的に動作平面（Ｘ、Ｙ）に直交の、前記請求項１に記載のピックアップ（１００）。
【請求項３】
少なくとも磁石構成（１０２、１０３）のうちの一つ（１０３）が、ベース（１０１）にしっかりと接続するヨーク（３０３）と、該ヨーク（３０３）に搭載された磁石グループ（３０４、３０５）を有する、前記請求項１に記載のピックアップ。
【請求項４】
前記磁石グループ（３０４、３０５）が、ヨーク（３０３）に搭載された磁性導伝スペーサシート（３０４）と、該スペーサシートに搭載された磁石（３０５）を有する、前記請求項３に記載のピックアップ（１００）。
【請求項５】
動く記録媒体にアクセスするための装置で、前記の請求項１−４のいずれか一項によるピックアップ（１００）を持つことを特徴とする装置。
【請求項６】
ピックアップが、コイルキャリヤの一つの側に、ベース（１０１）にしっかりと接続された第一のヨーク（３０６）と第一の磁石（３０７）を持つ第一の磁石構成（１０２）を持ち、該コイルキャリヤ（１０５）のもう一方の側に、該ベース（１０１）にしっかりと接続された第二のヨーク（３０３）と第二の磁石グループ（３０４、３０５）を持つ第二の磁石構成（１０３）を持つ、前記請求項１に記載のピックアップ（１００）の製造方法であって、
該第一の磁石（３０７）を該第一のヨーク（３０６）に固定し、
該コイルキャリヤ（１０５）が、該第一の磁石（３０７）の表面（４００）から所定の第一の距離（３０８）にあるように、該コイルキャリヤ（１０５）を、ホルダオープニング（３００）内の選択位置（３０２）に動かし、
該コイルキャリヤ（１０５）を該選択位置（３０２）に固定し、
異なる厚さの磁石グループのセットから選択された磁石グループ（３０４、３０５）を選択し、
選択された該磁石グループ（３０４、３０５）を該第二のヨーク（３０３）に固定するという段階を有することを特徴とする方法。
【請求項７】
磁石グループ（３０４、３０５）がスペーサシート（３０４）と第二の磁石（３０５）を持ち、前記選択の段階が、異なる厚さのスペーサシートのセットから選択されたスペーサシート（３０４）を選択することと、第二の磁石（３０５）を、選択された該スペーサシート（３０４）に固定することの副選択からなっている、前記請求項６に記載の方法。
【発明の詳細な説明】
【技術分野】
【０００１】
本発明は、ピックアップとしても知られる、動く記録媒体にアクセスする装置、特にその機械的設計とその装置の製造方法に関する。
【背景技術】
【０００２】
層に情報トラックを持つ動く記録媒体にアクセスする機器において、ピックアップは記録媒体のアクセス位置に配置される。情報トラックに追従するために、該記録媒体と該ピックアップは相対的に移動する。該ピックアップの中では、変換器が、該情報トラックの目標箇所に相対的なアクセス位置に移動する。
【０００３】
アクセスは、情報トラックに記録された情報を変換器が読取り、そして、更なる処理のために電気信号に変換する読取りアクセスと、変換器が電気信号を受け取り該信号の情報を情報トラックに書き込む又は記録する書き込み又は記録アクセスとに要約され、又は、読取りアクセスと書き込みアクセスの組み合わせに要約される。
【０００４】
装置に組み込まれ、ピックアップに対して相対的に移動する記録媒体は、その公称位置と相対的に、そしてその周辺で目標箇所が変化するポジションエラーを伴う可能性がある。ポジションエラーで最も目立つものは、層と同一面内で、トラッキング方向と呼ばれる情報トラックに対して少なくとも実質的に斜め又は垂直方向に生じ、これはトラッキング誤差と呼ばれる。また、ディスタンス方向と呼ばれる層に少なくとも実質的に垂直な方向にも生じ、これはディスタンス誤差と呼ばれる。その他、あまり目立たないエラーは、ピックアップに対する記録媒体の位置が通常の位置より変動することにより生じ、これはチルトエラーと呼ばれる。トラッキング方向とフォーカス方向の両方に直交している方向は、目標箇所の情報トラックに対する接線方向となっているため、以下では、インフォメーション方向と呼ぶ。
【０００５】
変換器を目標箇所に対して正確に位置させておくため、ピックアップは典型的に、いわゆるアクチュエータを持っている。該アクチュエータは典型的に、電流が流れるコイルと相互に作用する磁石によって位置決めをする。いわゆるトラッキングサーボループが可動部の位置をトラッキング方向に制御し、ディスタンスサーボループが可動部の位置をディスタンス方向に制御し、そして、幾つかのピックアップでは、一つ又はそれ以上のいわゆるチルトサーボループが可動部の角度を制御する。
【０００６】
トラッキング方向とディスタンス方向は共に、最も重要な又は広範囲の動作を実行する動作平面に架かっている。ピックアップがチルトコントロールを行う場合、いわゆるラジアルチルト動作もこの動作平面上で起こる。アクチュエータの可動部分は典型的に、インフォメーション方向と平行、つまり、移動平面に垂直であるワイヤのような支持手段により吊り下がっている。ワイヤの、その長さに対して横断する曲げ弾性は、可動部の動作平面での動作を可能にし、ワイヤの縦剛性は、可動部をインフォメーション方向、つまり動作平面に直交する方向に強く固定する。
【０００７】
特許文献１が示し、そして、広く使われているように、アクチュエータは、その可動部に、一つ又はそれ以上の、プリントサーキット板のプリントコイルとして認識されるコイルを持ち、該プリントサーキット板は少なくとも一つの側面が、実質的に一定の広さのエアギャップに交わって磁石に面している。この中で、該コイル、該エアギャップ、及び該磁石の表面は典型的に、中立位置周辺の偏差の範囲全体から可能な限り遠い位置に留まるようにするため、動作平面と平行に位置する。アクチュエータの強力な力を生成するために、つまり、アクチュエータの感度を最大にするために、該エアギャップは、通常の作動状態において、可動部とピックアップの他の部分が互いに触れない限度まで、可能な限り小さい必要がある。
【特許文献１】米国特許出願公開第２００３／００５８５５０号明細書
【発明の開示】
【発明が解決しようとする課題】
【０００８】
上記のアクチュエータは、含まれる部品と工具の機械的許容差のために、エアギャップ幅に相当な変動値がある、という欠点を持つ。従って、通常の作動状態での適度な製品の棄却率を確保するため、エアギャップ幅はむしろ大きな基準値に設計されなければならず、それぞれのエアギャップ幅はゼロに近いものから基準幅の倍値に近いものまで異なる。
【課題を解決するための手段】
【０００９】
本発明は、少なくともこれらの欠点のいくつかに関して、上記のピックアップを改良することを目的としている。
【００１０】
本発明による、情報トラックを持つ動く記録媒体にアクセスするピックアップは、一つ又はそれ以上の、平面的な磁気面を伴う磁石構成を持つベースを持ち、そして、該磁石構成に面しているコイルを持つ平面的なコイルキャリヤを持つ可動部を持つ。ピックアップの該可動部は、ディスタンス方向とトラッキング方向に架かる動作平面上で移動可能である。本発明はそして、該可動部が、コイルキャリヤの一部を、該動作平面の外側に位置するアライメント方向に沿って広がる位置範囲内に保つために備えられたホルダオープニングを持ち、そして、該コイルキャリヤの該一部は、該範囲内の一つの位置で該ホルダオープニング内に固定される。これは、組み立ての間に、該ホルダオープニングによって可能になる位置範囲での該コイルキャリヤの移動と、それに続く、該ホルダオープニング内での該コイルキャリヤの部品の固定による該コイルキャリヤの位置の固定により、磁石の表面と平面的なコイルキャリヤの間のエアギャップを、任意の望ましい幅に修正することができるという利点がある。
【００１１】
望ましくは、本発明によるピックアップの中で、アライメント方向は、動作平面（Ｘ、Ｙ）に実質的に直交する方向に決まる。これは、許容位置範囲におけるコイルキャリヤのいかなる移動も、エアギャップ幅の最大に可能な増加又は減少をもたらし、そして、該コイルキャリヤの、トラッキング又はディスタンス方向への不要な移動の原因にならない、又は伴わないという利点がある。しかし、該動作平面に直交する方向に沿うアライメントが不可能又は望まれないものであるという、シナリオが存在するかもしれない。この潜在的な理由は、該コイルキャリヤと、その付近を囲う他の部品との接触を避けるため、又は、ピックアップ内での質量の特定の比分配を確保するため、又は、アクセスを更にしやすくするため、又は、より良いバーニアアライメントのためのてこ作用を実現するためである。いずれの場合においても、該アライメント方向が該動作平面の外側に位置すれば、つまり、動作平面に直交又は法線方向である消滅しない成分を持てば、該コイルキャリヤの該アライメント方向に沿ういかなる移動も、エアギャップ幅に、少なくとも幾らかの対応する変化をもたらす。
【００１２】
望ましくは、本発明によるピックアップでは、磁石構成のうち少なくとも一つは、ベースにしっかりと接続されたヨーク部と、厚さの選択が可能な磁石グループで構成される。これにより、エアギャップ幅の調整又は調節のための、もう一つの補足的な方法を提供するという利点がある。主な応用は、上記のように、アライメント方向に沿ってコイルキャリヤを移動そして固定することによって、平面的なコイルキャリヤの一つの側にあるエアギャップ幅を調節するときのシナリオである。この場合、コイルキャリヤのもう一方の側にある二番目のエアギャップ幅の調節は、適切な厚さの磁石グループを選択しそして使用することで可能になる。適切な厚さの磁石グループを実現する方法の一つは、ヨークに取り付けられた磁性導伝スペーサシートと、該スペーサシートに取り付けられた一定の厚さの磁石を使用する。その場合、適切な厚さの磁石グループを選択することは、異なる厚さのシートのセットの中から適切な厚さのスペーサシートを選択して使用すること、そして、それをヨークと磁石の間に固定することに等しい。
【００１３】
両方の磁石構成のヨークと磁石の間、つまり、コイルキャリヤの両側にスペーサシートを持つこともまた考え得ることである。この場合の利点は、より小さなホルダオープニングが使用でき、可動部の機械的安定、及び/又は軽量のために望ましい、より小さな位置範囲につながる。可動部の中で、適切な厚さのスペーサシート、又は磁石グループを単独で使用すること、つまり、コイルキャリヤのための可能位置範囲を持たないことは、道理にもかない、そして、本発明の範囲内である。
【００１４】
本発明によるピックアップは動く記録媒体にアクセスする装置で使用されることに適している。
【００１５】
本発明によると、上記の、コイルキャリヤの一つの側に、ベースと第一の磁石にしっかりと接続された第一のヨークを持つ第一の磁石グループを持ち、そして、該コイルキャリヤのもう一方の側に、該ベースと第二の磁石にしっかりと接続された第二のヨークを持つ第二の磁石グループを持つピックアップは、
第一の磁石を第一のヨークに固定し、
コイルキャリヤが該第一の磁石の表面から所定の第一の距離にあるように、該コイルキャリヤを、該ホルダオープニング内の選択位置に動かし、
該コイルキャリヤを選択位置に固定し、
異なる厚さの磁石グループのセットから第二の磁石グループを選択し、
選ばれた第二の磁石グループを第二のヨークに固定するという段階を有する方法によって製造される。
【００１６】
これは、動作と選択の二つの別々の調節段階が、個々の部品の寸法公差と組み立て公差を大体中立にし、それによって高い制御方法で、製品の中のエアギャップ幅を小さくすることを可能にするという利点がある。
【００１７】
好ましくは、製造の方法において、第二の磁石グループはスペーサシートと第二の磁石を有し、異なる厚さのスペーサシートのセットから選択されたスペーサシートを選択し、また、該第二の磁石を選択された該スペーサシートに固定することによって磁石グループを選択する。これは、一つだけのサイズの磁石が在庫にあればよいという利点がある。
【発明を実施するための最良の形態】
【００１８】
本発明の更なる利点と典型的な実施形態は図面に描かれており以下に詳しく説明する。それらは、記録媒体が光学ディスクであり、そして、変換器がライトソース、フォーカスレンズ、及び光電検出器を持つ構造であるシナリオを参照する。しかし、このシナリオを超えて、本発明は、読取りの原理が反射によるものか透過によるものかに関わらず、カードやテープ型のような、層に情報トラックを持つ任意の種類の光学記録媒体に使用することができる。更に、本発明は磁性の記憶装置、又は実際に、変換器が記録媒体の表面に位置する情報トラックに追従するためすばやくサーボ制御される必要のある動く記録媒体へのいかなるアクセスにも使用することができる。
【００１９】
図１は、本発明によるピックアップ１００を示しており、このシナリオでは、記録媒体が、トラック１１１の中で情報を運ぶ光学ディスク１１０であり、より具体的に、このディスクは読み取りビームが目標点１１２で反射する反射ビームである反射型のディスクである。この場合の変換器は、電源、フォーカスレンズ１０７、及び光電検出器を持つ構造である。該レンズ１０７と読み取りビームはピックアップ１００の光軸１１３の上又は近くに集中しており、電源と光電検出器は光学部品１１４として、象徴的及び略式的にのみ示されている。これまで「ディスタンス」エラー、「ディスタンス」動作、「ディスタンス」方向、「ディスタンス」サーボ、と呼ばれてきたものは、「フォーカス」エラー、「フォーカス」動作、「フォーカス」方向、「フォーカス」サーボの形をとり、アクチュエータの可動部１０４に取り付けられているフォーカスレンズ１０７が、回転するディスク１１０の目標点１１２に対してのすばやい動作においてサーボ制御される。
【００２０】
ピックアップはベース１０１と、サスペンションワイヤ１０６で該ベース１０１に接続する可動部１０４を持つ。ここでは、該ベース１０１は固く接続する要素の集合体を意味し、該可動部１０４がそれに対して動く。これは、典型的に、該ベース１０１、該サスペンションワイヤ１０６、及び該可動部１０４を含むピックアップ全体として、それ自体が可動であり、記録媒体１１０の情報トラック１１１に直角な方向に移動して、該記録媒体の全ての記憶装置の場所へのアクセスを可能にするということを排除するわけではない。目標点１１２において、該情報トラック１１１は情報方向Ｚに位置する。
【００２１】
可動部１０４はレンズ１０７とコイルキャリヤ１０５を持つ。該コイルキャリヤ１０５は、コイル（図示なし）を持ち、該コイルキャリヤ１０５は、べース１０１の磁石構成１０２と１０３と相互作用することによって、該可動部１０４をフォーカス方向Ｙとトラッキング方向Ｘに動かす。該コイルキャリヤ１０５のコイルの適切な電流供給は、軸の周りで、インフォメーション方向Ｚに平行なチルトローテーションも可能にする。
【００２２】
図２は、ベース１０１の部分である磁石構成１０２と１０３、及び可動部１０４の部分であるコイルキャリヤ１０５を有する、図１のピックアップの断面の拡大図を示している。該可動部１０４は、該コイルキャリヤ１０５の端部４０２と４０３のためのスペースを作る又はそれらを含む二つのホルダオープニング３００を持つ。該コイルキャリヤ１０５を該ホルダオープニング３００の中に取り付ける原理は該コイルキャリヤの両端部に同様に該当し、一つの端部のみ、後に更に拡大して示される。示されている実施形態では、該コイルキャリヤ１０５のもう一方の端部、及び該ホルダオープニング３００内でのその配置と取り付けは、対応するもので、鏡面対称の構造である。
【００２３】
図３は、可動部１０４のホルダオープニング３００の中のコイルキャリヤ１０５の一つの端部４０２の結合又は固定の更に拡大したものを示している。該ホルダオープニング３００の幅は該コイルキャリヤ１０５の厚さよりも広く、それによって該コイルキャリヤ１０５は、アライメント方向に沿って広がる位置範囲３０１内に位置する。ここに示されている、可動部１０４を弾性的に支えているサスペンションワイヤ１０６の配列と共に、該アライメント方向３０１は、フォーカス方向Ｙとトラッキング方向Ｘに架かる動作平面に直交又は法線方向である。存在し得る位置範囲３０１の中で、該コイルキャリヤ１０５とその端部４０２は、左の磁石構成１０２の表面と該コイルキャリヤ１０５の表面との間のエアギャップが第一所要幅３０８を持つように選択された、該ホルダオープニング３００内の限定された位置３０２で固定されている。該左の磁石構成１０２は、第一のヨーク３０６と該第一のヨーク３０６に締め付けられた第一の磁石３０７からなる。該コイルキャリヤ１０５の右側には、第二のヨーク３０３、該第二のヨーク３０３に留められたスペーサシート３０４、及び該スペーサシート３０４に締め付けられた第二の磁石グループ３０５からなる磁石構成１０３がある。該スペーサシートの厚さ３０９は、該コイルキャリヤ１０５の表面と該右の磁石構成１０３の表面との間のエアギャップが第二の所要幅３０８を持つように選択される。該コイルキャリヤ１０５の該端部４０２を特別に選択された位置３０２で固定するための適切な方法は、接着剤による接合、クランピング、後に硬化する液体への接触部分の浸漬、又は該ホルダオープニングを横断するサスペンションワイヤに該コイルキャリヤをはんだ付けする際の副産物としてである。
【００２４】
図４は、図１のピックアップの部分の分解組立図を示している。上部に示される、コイルキャリヤ１０５とその端部４０２と４０３は、レンズ１０７を搭載し、そしてホルダオープニング３００を持つケージ１０４’と共に、可動部１０４を形成する。下部では、磁石グループ１０２と１０３の要素が別々に示されている。左の磁石グループ１０２は、左のヨーク３０６と、該コイルキャリヤ１０５に面している第一の平面的な表面４００を持つ左の磁石３０７からなる。右の磁石グループ１０３は右のヨーク３０３と、スペーサシート３０４と、該コイルキャリヤ１０５のもう一方の側に面している第二の平面的な表面４０１を持つ左の磁石３０５からなる。
【００２５】
図４の底部は、ベース１０１とサスペンションワイヤ１０６を示している。該ベースは、ヨーク３０６と３０３の突起部１０９を受け入れて締め付けるために設計された開口部１０８を締め付けるヨークを持つ。
【００２６】
言い換えると、本発明は、２Ｄ動作平面Ｘ、Ｙ上で動作可能な可動部１０４を持つ、動く記録媒体のためのピックアップ１００とその製造方法に関するものであり、磁石３０７と３０５、ならびに平らなキャリヤ１０５のコイルとの間のより小さなエアギャップを、コイルキャリヤ１０５の部分４０２と４０３を、動きＸ、Ｙの平面の外側に位置するアライメント方向３０１に沿って広がる位置範囲３０１内で保持するために備えられたホルダオープニング３００を持つ該可動部１０４によって実現し、また、該コイルキャリヤ１０５の該部分４０２、４０３を、範囲３０１内の一つの位置３０２で該ホルダオープニング３００内に固定する。
【図面の簡単な説明】
【００２７】
【図１】本発明によるピックアップを示す。
【図２】図１のピックアップの磁石とコイルキャリヤの部分の拡大図を示す。
【図３】ホルダオープニング内のコイルキャリヤの端部の一つの締め付けの更に拡大した図を示す。
【図４】図１のピックアップの部分の分解図を示す。
【符号の説明】
【００２８】
１００  ピックアップ
１０１  ベース
１０２  第一の磁石構成
１０３  第二の磁石構成
１０４  可動部
１０４’  ケージ
１０５  コイルキャリヤ
１０６  サスペンションワイヤ
１０７  フォーカスレンズ
１０８  開口部
１１０  光学ディスク
１１１  情報トラック
１１２  目標点
１１３  光軸
１１４  光学部品
３００  ホルダオープニング
３０１  位置範囲、アライメント方向
３０２  一つの位置
３０３  第二のヨーク
３０４  スペーサシート
３０５  第二の磁石
３０６  第一のヨーク
３０７  第一の磁石
３０８  第一の所要幅
３０９  スペーサシートの厚さ
３１０  第二の所要幅
４０１  第二の平面的表面
４０２  コイルキャリヤの部分
４０３  コイルキャリヤの部分
【図１】
2007250169.tif 000003
【図２】
2007250169.tif 000004
【図３】
2007250169.tif 000005
【図４】
2007250169.tif 000006
【外国語明細書】
2007250169.tif 000007
2007250169.tif 000008
2007250169.tif 000009
2007250169.tif 000010
2007250169.tif 000011
2007250169.tif 000012
2007250169.tif 000013
2007250169.tif 000014
2007250169.tif 000015
2007250169.tif 000016
2007250169.tif 000017
2007250169.tif 000018
2007250169.tif 000019
2007250169.tif 000020
2007250169.tif 000021
2007250169.tif 000022
2007250169.tif 000023
2007250169.tif 000024